(57)【特許請求の範囲】
【請求項１】
文字、画像、および音声のうち少なくとも一つの内容情報を含む電子情報を提示する情報提示装置であって、
上記電子情報に設定された時刻を示す設定時刻情報をさらに含む電子情報を記憶する記憶部と、
所定の単位で区切られた時刻を識別する情報であるラベル情報を表示するラベル表示領域と当該時刻に設定されたスケジュール情報を表示するスケジュール表示領域とを対応付けたスケジュール表をスケジュール表示画面として表示するスケジュール表表示手段と、
上記ラベル情報によって識別される時刻に対応付けられたスケジュール情報から、所定のキーワードを抽出するキーワード取得手段と、
上記記憶部から、上記キーワード取得手段によって抽出されたキーワードを含む電子情報を取得すると共に、当該電子情報に設定された設定時刻情報を抽出する電子情報取得手段と、
上記電子情報取得手段によって取得された電子情報の少なくとも一部をタイトル情報として上記スケジュール表表示手段によって表示されたスケジュール表に重畳して、選択可能な状態で表示するタイトル情報提示手段と、
ユーザによるタイトル情報の選択を受け付けるタイトル選択手段と、
上記タイトル選択手段によって指定されたタイトル情報を含む電子情報の内容情報を出力する情報出力手段とを備えることを特徴とする情報提示装置。
【請求項２】
上記ラベル情報で識別される時刻の選択を受け付ける時刻選択手段をさらに備え、
上記電子情報取得手段は、上記時刻選択手段によって選択された時刻が設定時刻情報として設定された電子情報を取得し、
上記タイトル情報提示手段は、上記タイトル情報を、上記時刻選択手段によって選択された時刻に対応づけられたスケジュール表示領域に重畳させて表示することを特徴とする請求項１に記載の情報提示装置。
【請求項３】
上記電子情報取得手段は、上記時刻選択手段によって選択された時刻から所定の期間内の時刻が設定時刻情報に設定された電子情報を取得することを特徴とする請求項２に記載の情報提示装置。
【請求項４】
上記電子情報取得手段は、上記タイトル情報提示手段が１つの表示画面に表示可能なタイトル情報の数に基づいて、上記所定の期間を設定することを特徴とする請求項３に記載の情報提示装置。
【請求項５】
上記タイトル情報提示手段は、上記指定時刻によって識別されるラベル表示領域に対応するスケジュール表示領域に重畳させて、上記スケジュール表上で過去の時刻を示す方向に、指定時刻より過去の時刻が設定時刻情報に設定された電子情報に対応するタイトル情報を表示し、上記スケジュール表上で未来の情報を示す方向に、指定時刻より未来の時刻が設定時刻情報に設定された電子情報に対応するタイトル情報を表示することを特徴とする請求項１から４のいずれか１項に記載の情報提示装置。
【請求項６】
上記スケジュール表表示手段は、上記タイトル情報提示手段によって表示されたタイトル情報のうちの少なくとも１つを含む電子情報の内容情報を、上記タイトル情報と共に出力することを特徴とする請求項１から５のいずれか１項に記載の情報提示装置。
【請求項７】
上記電子情報取得手段によって取得された電子情報に設定された設定時刻情報によって識別されるラベル情報と対応するスケジュール表示領域に、当該電子情報が存在することを示す情報アイコンを表示するアイコン表示手段をさらに備えることを特徴とする請求項１から６のいずれか１項に記載の情報提示装置。
【請求項８】
上記スケジュール表表示手段は、上記情報アイコンを表示する際に、当該情報アイコンまたは当該情報アイコンが表示されているスケジュール表示領域を強調表示することを特徴とする請求項７に記載の情報提示装置。
【請求項９】
文字、画像、および音声のうち少なくとも一つの内容情報を含む電子情報を提示する情報提示装置における情報提示方法であって、
上記情報提示装置は、上記電子情報に設定された時刻を示す設定時刻情報をさらに含む電子情報を記憶する記憶部を備え、
所定の単位で区切られた時刻を識別する情報であるラベル情報を表示するラベル表示領域と当該時刻に設定されたスケジュール情報を表示するスケジュール表示領域とを対応付けたスケジュール表をスケジュール表示画面として表示するスケジュール表表示ステップと、
上記ラベル情報によって識別される時刻に対応付けられたスケジュール情報から、所定のキーワードを抽出するキーワード取得ステップと、
上記記憶部から、上記キーワード取得ステップにおいて抽出されたキーワードを含む電子情報を取得するとともに、当該電子情報に設定された設定時刻情報を抽出する電子情報取得ステップと、
上記電子情報取得ステップにおいて取得された電子情報の少なくとも一部をタイトル情報として上記スケジュール表表示ステップにおいて表示されたスケジュール表に重畳して、選択可能な状態で表示するタイトル情報提示ステップと、
ユーザによるタイトル情報の選択を受け付けるタイトル選択ステップと、
上記タイトル選択ステップにおいて指定されたタイトル情報を含む電子情報の内容情報を出力する情報出力ステップとを備えることを特徴とする情報提示方法。
【請求項１０】
請求項１から８のいずれか１項に記載の情報提示装置を動作させるための情報提示プログラムであって、コンピュータを上記の各手段として機能させるための情報提示プログラム。
【請求項１１】
請求項１０に記載の情報提示プログラムが記録されたコンピュータ読み取り可能な記録媒体。
【発明の詳細な説明】
【技術分野】
【０００１】
本発明は、電子情報をユーザに対して提示する情報提示装置、情報提示方法、情報提示プログラム、および記録媒体に関するものである。より詳細には、時刻情報を含む電子情報を、スケジュール情報と共に表示する情報提示装置などに関する。
【背景技術】
【０００２】
近時、電子新聞や電子雑誌などの電子情報の配信サービスが増えてきている。これらの電子情報を閲覧するための端末としてＰＣや携帯電話などが利用されており、配信された電子情報を端末に長期間、保管することが可能である。
【０００３】
上記のような端末では、多くの場合、スケジュール管理用ソフトウェアが利用可能である。スケジュール管理用ソフトウェアには、スケジュール日時を管理する機能の他に、複数人で同一のスケジュールを利用するグループウェア機能などを備えるものも存在する。
【０００４】
特許文献１では、スケジュール情報に関連した文書の検索などが容易であり、かつ所望の文書を容易に出力でき、かつスケジューリングされたイベントに先立って登録された関連文書も検索することができる文書検索装置が開示されている。
【０００５】
上記の文書検索装置では、検索対象文書とは別に管理されている複数のスケジュール情報を取り込むスケジュール情報取り込み部と、選択されたスケジュール情報からキーワードにする文字列を抽出するキーワード抽出部とを備え、システム制御部が、スケジュール情報取り込み部により取り込まれた複数のスケジュール情報を表示部に表示させ、表示された複数のスケジュール情報中から一つのスケジュール情報を入力部により選択させ、キーワード抽出部が上記スケジュール情報からキーワードにする文字列を抽出し、システム制御部が上記文字列をキーワードとして文書を検索している。
【特許文献１】特開２０００−２３１５６８号公報（２０００年８月２２日公開）
【発明の開示】
【発明が解決しようとする課題】
【０００６】
しかしながら、上記従来の構成では、スケジュール表を閲覧する操作、および電子情報の内容報を閲覧する操作の相関が低く、スケジュール表を閲覧する操作、および電子情報の内容を閲覧する操作が複雑になるという問題を生じる。
【０００７】
本発明は、上記の問題点に鑑みてなされたものであり、その目的は、スケジュール表から電子情報の閲覧が容易な操作で可能な情報提示装置を実現することにある。
【課題を解決するための手段】
【０００８】
本発明の情報提示装置は、上記課題を解決するために、文字、画像、および音声のうち少なくとも一つの内容情報を含む電子情報を提示する情報提示装置であって、上記電子情報に設定された時刻を示す設定時刻情報をさらに含む電子情報を記憶する記憶部と、所定の単位で区切られた時刻を識別する情報であるラベル情報を表示するラベル表示領域と当該時刻に設定されたスケジュール情報を表示するスケジュール表示領域とを対応付けたスケジュール表をスケジュール表示画面として表示するスケジュール表表示手段と、上記ラベル情報によって識別される時刻に対応付けられたスケジュール情報から、所定のキーワードを抽出するキーワード取得手段と、上記記憶部から、上記キーワード取得手段によって抽出されたキーワードを含む電子情報を取得すると共に、当該電子情報に設定された設定時刻情報を抽出する電子情報取得手段と、上記電子情報取得手段によって取得された電子情報の少なくとも一部をタイトル情報として上記スケジュール表表示手段によって表示されたスケジュール表に重畳して、選択可能な状態で表示するタイトル情報提示手段と、ユーザによるタイトル情報の選択を受け付けるタイトル選択手段と、上記タイトル選択手段によって指定されたタイトル情報を含む電子情報の内容情報を出力する情報出力手段とを備えることを特徴としている。
【０００９】
また、本発明の情報提示方法は、上記課題を解決するために、文字、画像、および音声のうち少なくとも一つの内容情報を含む電子情報を提示する情報提示装置における情報提示方法であって、上記情報提示装置は、上記電子情報に設定された時刻を示す設定時刻情報をさらに含む電子情報を記憶する記憶部を備え、所定の単位で区切られた時刻を識別する情報であるラベル情報を表示するラベル表示領域と当該時刻に設定されたスケジュール情報を表示するスケジュール表示領域とを対応付けたスケジュール表をスケジュール表示画面として表示するスケジュール表表示ステップと、上記ラベル情報によって識別される時刻に対応付けられたスケジュール情報から、所定のキーワードを抽出するキーワード取得ステップと、上記記憶部から、上記キーワード取得ステップにおいて抽出されたキーワードを含む電子情報を取得するとともに、当該電子情報に設定された設定時刻情報を抽出する電子情報取得ステップと、上記電子情報取得ステップにおいて取得された電子情報の少なくとも一部をタイトル情報として上記スケジュール表表示ステップにおいて表示されたスケジュール表に重畳して、選択可能な状態で表示するタイトル情報提示ステップと、ユーザによるタイトル情報の選択を受け付けるタイトル選択ステップと、上記タイトル選択ステップにおいて指定されたタイトル情報を含む電子情報の内容情報を出力する情報出力ステップとを備えることを特徴としている。
【００１０】
上記の構成によれば、キーワード取得手段がスケジュール情報から所定のキーワードを抽出し、抽出したキーワードを用いて電子情報取得手段が電子情報を取得し、取得した電子情報の内容のうち少なくとも一部をタイトル情報として、タイトル情報提示手段がスケジュール表のラベル情報によって識別される時刻に対応づけられたスケジュール情報表示領域に重畳して選択可能に表示しているので、ユーザは容易な操作で興味のあるタイトルが含まれる電子情報の内容を閲覧することができるという効果を奏する。
【００１１】
なお、上記のキーワードは、予め記憶部に記憶されていてもよいし、ユーザによって任意に設定可能であってもよい。また、上記のキーワードとして、ネットワークやインタフェースを介して外部の装置からダウンロードしたものを用いてもよい。
【００１２】
本発明の情報提示装置は、上記ラベル情報で識別される時刻の選択を受け付ける時刻選択手段をさらに備え、上記電子情報取得手段は、上記時刻選択手段によって選択された時刻が設定時刻情報として設定された電子情報を取得し、上記タイトル情報提示手段は、上記タイトル情報を、上記時刻選択手段によって選択された時刻に対応づけられたスケジュール表示領域に重畳させて表示することが好ましい。
【００１３】
上記時刻選択手段を備えることで、任意の時刻を指定し、当該時刻によって識別されるラベル情報表示領域に対応づけられたスケジュール情報表示領域に表示されているスケジュール情報からキーワードの検索を行うことができるというさらなる効果を奏する。
【００１４】
なお、上記のある時刻は、ユーザによって指定してもよいし、現在の時刻情報を取得して用いてもよい。
【００１５】
本発明の情報提示装置では、上記電子情報取得手段は、上記時刻選択手段によって選択された時刻から所定の期間内の時刻が設定時刻情報に設定された電子情報を取得することが好ましい。
【００１６】
上記の構成によれば、選択されたある時刻から所定の期間内、例えば、ある時刻を基点に前後１ヶ月の期間などといった、出力しているスケジュール表に表示されていない期間の時刻が設定された電子情報であっても参照することができる。
【００１７】
これにより、上記期間を定めることによって、あまりに時期の外れた電子情報を表示させないようにすることで利用者の混乱を避ける、あまり多くの電子情報を表示させてスケジュール表示画面が見え難くなってしまうことを避けるというさらなる効果を奏する。
【００１８】
上記電子情報取得手段は、上記タイトル情報提示手段が１つの表示画面に表示可能なタイトル情報の数に基づいて、上記所定の期間を設定することが好ましい。
【００１９】
上記の構成によれば、画面内に全てのタイトル情報が表示可能であるように、情報取得期間を自動的に定め、ユーザが見やすいスケジュール表を表示することができるという更なる効果を奏する。
【００２０】
本発明の情報提示装置では、上記タイトル情報提示手段は、上記指定時刻によって識別されるラベル表示領域に対応するスケジュール表示領域に重畳させて、上記スケジュール表上で過去の時刻を示す方向に、指定時刻より過去の時刻が設定時刻情報に設定された電子情報に対応するタイトル情報を表示し、上記スケジュール表上で未来の情報を示す方向に、指定時刻より未来の時刻が設定時刻情報に設定された電子情報に対応するタイトル情報を表示することが好ましい。
【００２１】
上記タイトル情報提示手段が上記指定時刻より過去の時刻を示す方向、具体例をあげると、左から右に日付が昇順に並んでいる一般的なカレンダーの例であれば左側に、指定時刻より過去の時刻が設定された電子情報のタイトルを表示している。さらに、指定時刻より未来の時刻を示す方向、上述の一般的なカレンダーの例であれば右側に、指定時刻より未来の時刻が設定された電子情報のタイトル情報を表示するので、ユーザが一目で選択した指定時刻と保存されている電子情報の設定時刻との関係を把握することができるというさらなる効果を奏する。
【００２２】
本発明の情報提示装置では、上記スケジュール表表示手段は、上記タイトル情報提示手段によって表示されたタイトル情報のうちの少なくとも１つを含む電子情報の内容情報を、上記タイトル情報と共に出力することが好ましい。
【００２３】
上記電子情報の内容がタイトル情報と共に表示されることにより、ユーザはタイトル情報とその内容情報を同時に確認することができるという効果を奏する。
【００２４】
本発明の情報提示装置は、上記電子情報取得手段によって取得された電子情報に設定された設定時刻情報によって識別されるラベル情報と対応するスケジュール表示領域に、当該電子情報が存在することを示す情報アイコンを表示するアイコン表示手段をさらに備えることが好ましい。
【００２５】
上記情報アイコンがスケジュール表示領域に表示されていることにより、ユーザがスケジュール表を眺めた場合に一目でキーワード取得手段によって抽出されたキーワードを含む電子情報に設定された設定時刻を把握することができるため、ユーザが時刻に基づいて電子情報の選択を行うことが容易になるというさらなる効果を奏する。
【００２６】
本発明の情報提示装置は、上記スケジュール表表示手段は、上記情報アイコンを表示する際に、当該アイコンまたは当該アイコンが表示されているスケジュール表示領域を強調表示することが好ましい。
【００２７】
上記情報アイコンまたはスケジュール表示領域が強調表示されることにより、情報アイコンの存在をより強調して提示することができるさらなる効果を奏する。
【００２８】
なお、上記情報提示装置を、コンピュータの制御によりコンピュータ上で実行させることができる。さらに、上記情報提示プログラムをコンピュータ読み取り可能な記録媒体に記憶させることにより、任意のコンピュータ上で実行させることができる。
【発明の効果】
【００２９】
本発明の情報提示装置は、以上のように、スケジュール情報から所定のキーワードを抽出し、抽出したキーワードを用いて電子情報を取得し、取得した電子情報の内容のうち少なくとも一部をタイトル情報として、スケジュール表のラベル情報によって識別される時刻に対応づけられたスケジュール情報表示領域に重畳して選択可能に表示しているので、ユーザは容易な操作で興味のあるタイトルが含まれる電子情報の内容を閲覧することができるという効果を奏する。
【発明を実施するための最良の形態】
【００３０】
〔実施形態１〕
本発明の一実施形態について図１から図５に基づいて説明すると以下の通りである。
【００３１】
図１は、本実施形態の情報提示装置１０の要部構成を示す機能ブロック図である。情報提示装置１０は、制御部２０、通信Ｉ／Ｆ３２、操作部（時刻選択手段）３４、表示部３６、および記憶部４０を備えている。制御部２０は、記録制御部２１、通信制御部２２、情報取得部（キーワード取得手段、タイトル情報取得手段、電子情報取得手段）２３、操作制御部２４、スケジュール表示部（スケジュール表表示手段）２５、タイトル表示部（タイトル情報出力手段）２６、アイコン表示部（アイコン表示手段）２７、および電子情報表示部２８（情報出力手段）を備えている。記憶部４０は、スケジュール情報記憶部４２、電子情報記憶部４４、およびキーワード記憶部４６を備えている。以下、各部の機能について、詳細を説明する。
【００３２】
制御部２０は、情報提示装置１０の各部の制御や各部間でのデータのやり取りを制御する。記録制御部２１は、記憶部４０に対する各種読み取りおよび書き込み処理を行う。通信制御部２２は、通信Ｉ／Ｆを介して外部の装置やネットワークを経由した通信処理を行う。情報取得部２３は、記憶部４０に蓄積された各種データを検索し、取得する。操作制御部２４は、操作部３４からの入力操作に基づいて情報提示装置１０の各部を制御する制御信号を各部に送信する。
【００３３】
スケジュール表示部２５は、表示部３６に対して日付または時刻を示すラベル情報およびスケジュール情報を含むスケジュール表を表示させる。タイトル表示部２６は、スケジュール表のスケジュール情報表示領域に、電子記事の内容の一部を示すタイトルなどを表示させる。アイコン表示部２７は、スケジュール表の各領域にスケジュールや電子情報の存在をユーザに対して通知するための各種情報アイコンを表示する。電子情報表示部２８は、電子情報記憶部４４に記憶されている各種電子情報の内容をユーザに対して表示する。
【００３４】
通信Ｉ／Ｆ３２は、外部の装置やネットワークなどと接続するためのインタフェース部で、具体的には、ＵＳＢ（Universal Serial Bus）、ＩＥＥＥ（Institute of Electrical and Electronics Engineers）１３９４、イーサネット（登録商標）などの規格に対応したコネクタや、電話回線、携帯通信回線、光通信回線などに接続するためのモデムなどで構成される。
【００３５】
操作部３４は、ユーザからの入力操作を受け付ける入力インタフェースで、ボタン、スイッチ、ダイヤル、キーボード、およびその他の入力デバイスで構成される。表示部３６は、ユーザに対してスケジュール表および電子情報を閲覧させるための出力インタフェースで、液晶パネル、有機ＥＬディスプレイ（OEL; Organic Electro Luminescence Display）などで構成される。なお、操作部３４および表示部３６をタッチパネルなどの入力および出力を行うデバイスで構成し、兼用してもよい。
【００３６】
記憶部４０は、時刻が設定された電子情報やスケジュールや、情報アイコン等が登録されたデータベースや、情報提示装置で用いる各種設定情報などを記憶する。スケジュール情報記憶部４２は、いつ、どういったスケジュールがあるかというスケジュール情報を記憶する。電子情報記憶部４４は、電子新聞や電子雑誌などの電子情報を、発行日や受信日などの時刻情報と共に記憶する。電子情報は、内容を示す内容情報と、内容情報の発行日等を示す時刻情報とを少なくとも含む。キーワード記憶部４６は、電子情報を検索するためのキーワードを記録している。キーワード記憶部４６に記憶されたキーワードは情報取得部２３によって検索に用いられる、検索対象のキーワードが予めデータベースに登録されている。
【００３７】
次に、図２を参照して、本実施形態の情報提示装置１０におけるスケジュール画面について説明する。図２は、本実施形態の情報提示装置１０におけるスケジュール画面およびタイトルを表示する処理の流れを示す概念図である。
【００３８】
操作部３４によってスケジュール表からある日付、例えば「５月９日」の日付が選択された場合、情報取得部２３のキーワード取得部３７は、「５月９日」の日付に基づいて記憶部４０のスケジュール情報記憶部４２を参照し、「５月９日」の「午後Ａ社訪問」というスケジュール情報を取得し、キーワード「Ａ社」を抽出する。また、情報取得部２３の電子情報取得部３８は、記憶部４０の電子情報記憶部４４から、「５月９日」を中心として所定の期間、例えば、前後１ヶ月間の電子情報を「Ａ社」のキーワードで検索する。
【００３９】
上記の電子情報取得部３８による検索の結果、取得された「Ａ社」のキーワードを含む電子情報から、タイトル表示部２６は、一部の情報、例えば見出しのテキスト情報をタイトル情報としてさらに抽出し、スケジュール表示画面上にタイトル情報として表示する。
【００４０】
ユーザはこのタイトル情報を操作部３４によって選択することによって、電子情報の内容を示す内容情報、例えば、文字や、画像や、音声などを参照することができる。
【００４１】
次に、図３を参照して、本実施形態の情報提示装置１０におけるスケジュール画面について説明する。図３は、情報提示装置１０の表示部３６に表示されるスケジュール表の一例を示す概略図である。
【００４２】
スケジュール画面（スケジュール表）６０は、年月表示領域６１、曜日表示領域６２、日付表示領域（ラベル表示領域）６３、スケジュール表示領域（スケジュール表示領域）６４、およびタイトル表示領域７８から画面が構成されている。なお、図３では、月間スケジュール表示画面を例に説明をするが、これに限るものではない。週間スケジュールであってもよいし、日間（時間別）スケジュールであってもよい。特定の日時または時刻に対応するスケジュールが一覧できるスケジュール表であれば、どのような組み合わせや構成であってもよい。
【００４３】
図３では、年月表示領域６１には「２００７年５月」という年月が、曜日表示領域６２には「月曜日」「火曜日」「水曜日」「木曜日」「金曜日」「土曜日」「日曜日」という曜日が、日付表示領域６３には「４月３０日」「５月１日」「２」「３」……という日付が表示されている。
【００４４】
スケジュール表示領域６４には、様々なスケジュール情報が表示される。例えば、「５月１日」の日付に対応するスケジュール表示領域６４には、記事アイコン７２ａ、スケジュールアイコン７２ｂが表示されている。「５月１日」のスケジュール表示領域６４に表示された記事アイコン７２ａは、５月１日に発行された「Ａ社」というキーワードを含む電子情報が存在することを表している。おなじく、「５月１日」のスケジュール表示領域６４に表示されたスケジュールアイコン７２ｂは、５月１日に「遊園地」というスケジュールが存在することを表している。
【００４５】
「５月３日」「５月７日」の日付に対応するスケジュール表示領域６４には、記事アイコン７２ａが表示されており、５月３日および５月７日に発行された「Ａ社」というキーワードを含む電子情報が存在することを表している。
【００４６】
「５月９日」の日付に対応するスケジュール表示領域６４には、スケジュール内容７６ａ、電子情報タイトル表示領域７８が表示されている。「５月９日」のスケジュール表示領域６４に表示されたスケジュール内容７６ａには、５月９日に「午後Ａ社訪問」というスケジュール情報が存在することを表している。
【００４７】
ここで、タイトル表示領域７８には、タイトル情報８２ａ・８２ｂ・８２ｃの３つのタイトルが表示されている。タイトル情報８２ａとして「５／１  Ａ社下期決算好調」というタイトルが、タイトル情報８２ｂとして「５／３  Ａ社新製品発表」というタイトルが、タイトル情報８２ｃとして「５／７  女性管理職の養成図る」というタイトルが表示されている。これらのタイトルは、情報取得部２３が記憶部４０に保存されている電子情報を「Ａ社」というキーワードで検索した後、タイトル表示部２６によってタイトル表示領域７８に表示されている。
【００４８】
なお、タイトル表示領域７８は、「５月９日」の日付表示領域６３またはスケジュール表示領域６４をユーザがクリックした場合に表示してもよいし、現在日時に該当するスケジュール表示領域６４に自動的に表示するようにしてもよい。
【００４９】
「５月２０日」の日付に対応するスケジュール表示領域６４には、スケジュール内容７６ｂが表示されている。スケジュール内容７６ｂには、５月２０日に「遊園地」というスケジュールが存在することを表している。
【００５０】
次に、図４を参照して、スケジュール表示領域６４に表示される各種情報アイコンおよび強調表示の具体例について説明する。図４は、スケジュール画面６０内に表示される情報アイコンの一例を示す概略図である。
【００５１】
図４（ａ）は、「３日」のスケジュール表示領域６４に「Ａ社」のキーワードに該当する電子情報が存在することを示す情報アイコンを、点滅表示していることを示している。図４（ｂ）は、「Ａ社」というキーワードに該当する電子情報が存在すること、情報アイコンおよびスケジュール表示領域６４の背景色を変更することでユーザに対して分かり易く表示している。
【００５２】
次に、図５を参照して、電子情報を管理・検索するために必要なデータベースのデータ構造について説明する。図５は、情報提示装置１０で保存されるデータ構造の一例を示す図である。
【００５３】
図５（ａ）は、図３の「５月９日」のスケジュールに対応するデータの一例である。なお、ここでは、「Ａ社」という１つのキーワードのみの例を示しているが、キーワードは複数抽出されてもよい。図５（ｂ）は、図３の「５月３日」のスケジュールに対応するデータの一例である。図５（ａ）では、上から順に「スケジュール番号」「作成日」「スケジュール内容」「キーワード」「関連記事情報Ａ」「関連記事情報Ｂ」「関連記事情報Ｃ」「関連記事リンク先Ａ」「関連記事リンク先Ｂ」「関連記事リンク先Ｃ」の項目と、項目に対応するデータが示されている。図５（ｂ）では、上から順に「アイコン番号」「関連アイコン貼付日」「関連アイコン直前日」「関連アイコン直後日」「関連スケジュール」「関連スケジュール前」「関連スケジュール後」「関連記事リンク先」の項目と、項目に対応するデータが示されている。
【００５４】
次に、実際にスケジュール画面６０にタイトル表示領域７８およびタイトル情報８２が表示されるまでに情報提示装置１０で行われる処理について順に説明する。
【００５５】
まず、処理が開始されると、スケジュール画面６０が情報提示装置１０の表示部３６に表示される。ここで、ユーザが操作部３４を用いて、いずれかの日付表示領域６３またはスケジュール表示領域６４を選択した場合、ラベル情報によって識別される時刻に対応する時刻情報が入力する。図３のスケジュール表から「７月９日」のスケジュール表示領域６４が選択された場合、情報取得部２３は、記憶部４０の電子情報記憶部４４から、電子情報の検索を行う。
【００５６】
情報取得部２３は、まず、「７月９日」のスケジュール情報として設定されている「午後Ａ社訪問」という文字列から、キーワードを抽出する。キーワードの抽出は、キーワード記憶部４６に予め記憶してある所定のキーワードと比較することで行う。ここでは、「Ａ社」「Ｂ社」などの取引先の社名がキーワードとして設定してあるものとして説明する。
【００５７】
次に、情報取得部２３は、取得した「Ａ社」のキーワードおよびユーザがスケジュール表示領域６４を選択することによって決定された「７月９日」の時刻情報に基づいて、電子情報記憶部４４の電子情報を検索する。情報取得部２３は、入力された「７月９日」の時刻情報から所定の期間内の時刻情報を持つ電子情報を取得する。なお、ここでは、選択されたある時刻から所定の期間内、例えば、ある時刻を基点に前後１ヶ月の期間などといった、出力しているスケジュール表に表示されていない期間の時刻が設定された電子情報を例に説明するが、これに限らない。
【００５８】
上記の検索の結果、「５／１」「５／３」「５／７」の時刻情報が設定された電子情報が情報取得部２３によって取得される。取得された電子情報は、タイトル表示部２６によって、タイトルとして電子情報の一部がタイトル表示領域７８に表示される。ここでは、時刻情報のうち日付と、電子情報の見出し文字を一部抜粋したものをタイトルとして表示させている。
【００５９】
また、上記の検索の結果、「５／１」「５／３」「５／７」に「Ａ社」に関する電子情報が存在することを取得した場合、「５月１日」「５月３日」「５月７日」のスケジュール表示領域６４に、記事アイコン７２ａを表示する。これによって、どの日付の記事が存在するかをユーザに分かり易く提示することができる。
【００６０】
記事アイコン７２が存在するスケジュール表示領域６４では、図４（ａ）（ｂ）のように情報アイコンを点滅させたり、スケジュール表示領域６４の背景色を変更したりしてもよい。なお、この記事アイコン７２をユーザが選択した場合、情報提示装置１０は表示部３６に電子情報の内容を表示させてもよいし、内容を表示させるためのメニューを表示させてもよい。内容を表示するためのメニューとしては、例えば、「１．電子新聞を開く」「２．これ以前のスケジュールへジャンプ」「３．これ以降のスケジュールにジャンプ」「４．これ以前の関連記事へジャンプ」「５．これ以降の関連記事へジャンプ」といったメニュー項目を含むものが考えられる。
【００６１】
タイトル表示領域７８に表示された各タイトル情報８２ａ・８２ｂ・８２ｃは、それぞれ、「５月１日」「５月３日」「５月７日」の電子情報にリンクされている。ユーザが上記いずれかのタイトルを選択した場合には、対応付けられた電子情報の内容を表示する。なお、電子情報の内容表示は、上記の記事タイトルから直接リンクが張られていてもよいし、上記のタイトルから記事アイコンを呼び出し、記事アイコンからリンク先を呼び出しても構わない（図５（ｂ）参照）。
【００６２】
以上のように、本実施形態の情報提示装置１０は、文字、画像、および音声のうち少なくとも一つの記事情報を含む電子情報を提示する情報提示装置１０であって、上記電子情報の作成者によって設定された時刻を示す設定時刻情報をさらに含む電子情報を記憶する記憶部４０と、所定の単位で区切られた時刻を識別する情報であるラベル情報を表示する日付表示領域６３と当該時刻に設定されたスケジュール情報を表示するスケジュール表示領域６４とを対応付けたスケジュール表をスケジュール表示画面６０として表示するスケジュール表示部２５と、上記ラベル情報によって識別される時刻に対応付けられたスケジュール情報から、所定のキーワードを抽出する情報取得部２３と、記憶部４０から、情報取得部２３によって抽出されたキーワードを含む電子情報と当該電子情報に設定された設定時刻情報とを取得する情報取得部２３と、情報取得部２３によって取得された電子情報の少なくとも一部をタイトル情報としてスケジュール表示部２５によって表示されたスケジュール表に重畳して、選択可能な状態で出力するタイトル表示部２６と、ユーザによるタイトル情報の選択を受け付ける操作部３４と、操作部３４によって指定されたタイトル情報を含む電子情報の内容情報を表示する電子情報表示部２８とを備えている。
【００６３】
上記の構成によれば、情報取得部２３がスケジュール情報から所定のキーワードを抽出し、抽出したキーワードを用いて電子情報を取得し、取得した電子情報の内容のうち少なくとも一部をタイトル情報８２として、タイトル表示部２６がスケジュール画面６０に重畳して表示しているので、ユーザはスケジュール画面６０から容易に興味のあるタイトル情報８２が含まれる電子情報を選択することができる。
【００６４】
なお、本実施形態では、キーワードは予め記憶部４０のキーワード記憶部４６に記憶されている例を示したが、これに限らない。ユーザによって任意に設定可能であってもよい。また、キーワードとして、ネットワークや通信インタフェースを介して外部の装置からダウンロードしたものを用いてもよい。
【００６５】
また、本実施形態では、スケジュール画面６０が月間スケジュールを表示している場合について説明したが、これに限るものではない。年間スケジュール、週間スケジュール、および時間別スケジュールであってもよい。電子情報に時刻情報が設定されており、電子情報の発行頻度やライフサイクルと比較して妥当な間隔のスケジュール表であれば、本実施形態と略同様の効果が得られる。
【００６６】
ただし、本実施形態のように、月間スケジュール表を用いる場合は、特に電子新聞や電子週刊誌などの所定の間隔で発行される電子情報に対して選択や閲覧を行い易いので、特に効果が大きい。
【００６７】
また、本実施形態の情報提示装置１０は、上記ラベル情報で識別される時刻の選択を受け付ける操作部３４をさらに備え、情報取得部２３は、操作部３４によって選択された時刻の設定時刻情報として設定された電子情報を取得し、タイトル表示部２６は、上記タイトル情報を、上記指定時刻によって識別されるラベル表示領域６３に対応づけられたスケジュール表示領域６４に重畳させて表示している。
【００６８】
上記操作部３４を備えることで、ユーザが任意の時刻を指定することができるため、特定の時刻に設定されたスケジュール情報からキーワードを抽出し、電子情報を検索できる。
【００６９】
また、本実施形態の情報提示装置１０では、情報取得部２３によって取得された電子情報に設定された設定時刻情報によって識別されるラベル情報と対応するスケジュール表示領域６４に、当該電子情報が存在することを示す記事アイコン７２を表示するアイコン表示部２７をさらに備えている。
【００７０】
記事アイコン７２がスケジュール表示領域６４に表示されていることにより、ユーザがスケジュール画面６０を眺めた場合に一目で電子情報が存在する時刻を把握することができるため、ユーザが電子情報の選択を行うことが容易になる。
【００７１】
また、本実施形態の情報提示装置１０は、スケジュール表示部２５は、記事アイコン７２を表示する際に、記事アイコン７２または当該記事アイコン７２が表示されているスケジュール表示領域６４を強調表示している。
【００７２】
記事アイコン７２またはスケジュール表示領域６４が強調表示されることにより、ユーザがスケジュール画面６０を眺めた場合に、より一層で電子情報が存在する時刻を把握することができるため、ユーザが電子情報の選択を行うことが容易になる。
【００７３】
なお、本実施形態では、記事アイコン７２を点滅表示する場合と、スケジュール表示領域６４の背景色を変える場合を例としてあげたが、これに限るものではない。情報アイコンをアニメーションさせたり、背景を点滅させたり、その他のユーザの目を引く強調動作であればどのような表現でもよい。
【００７４】
〔実施形態２〕
次に、本発明の別の実施形態について説明する。本実施形態の情報提示装置１０では、図１から図５に示される実施形態に比べて、スケジュール画面（スケジュール表）６０に表示される内容が異なり、その他の構成は同様である。なお、上記実施形態１で説明した構成と同様の機能を有する構成には同一の符号を付して、その説明を省略する。
【００７５】
上記構成において、スケジュール画面６０およびタイトル表示領域７８の表示方法について、図６に基づき説明すると、以下の通りである。
【００７６】
図６は、情報提示装置１０の表示部３６に表示されるスケジュール画面６０の別の一例を示す概略図である。スケジュール画面６０には、記事アイコン７２ａ、スケジュールアイコン７２ｂ、タイトル表示領域７８ａ、タイトル表示領域７８ｂなどが表示されている。
【００７７】
図６のスケジュール画面６０では、ユーザが操作部３４（日時指定手段）によって「５月１６日」のスケジュール表示領域６４を選択した場合の状態を示している。今、「５月１６日」のスケジュール表示領域６４が選択されたことによって、「Ｂ社交渉」というスケジュール情報を示す文字列から「Ｂ社」というキーワードが、情報取得部２３によって行われる。さらに、情報取得部２３によって、「Ｂ社」というキーワードに基づいて記憶部４０の電子情報記憶部４４から該当する電子情報の検索が行われる。
【００７８】
上記の検索の結果、「５／２」「５／１１」「５／１４」「５／２２」「５／２５」「５／２９」の電子情報がヒットした場合、情報取得部２３は、それぞれの電子情報の内容に含まれる見出しなどの文字列からタイトル情報８３を作成する。具体的には、情報取得部２３は、保存されている電子情報から「５／２  Ｂ社決算好調」「５／１１  Ｂ社米国拠点稼動」「５／１４  Ｂ社決算好調」「５／２２  Ｂ社技術者育成プログラム」「５／２５  Ｂ社上海で展示会開催」「５／２９  Ｂ社人事異動」というタイトル情報８３を作成する。
【００７９】
その後、タイトル表示部２６は、タイトル表示領域７８に情報取得部２３が作成したタイトル情報８３を表示する。ここで、タイトル表示部２６は、現在選択されている「５月１６日」というユーザが選択した日付（指定時刻）とタイトル情報８３に対応する記事情報に含まれる時刻情報（発行日や保存日など）とを比較し、指定時刻より前の時刻情報と対応付けられたタイトルを左側のタイトル表示領域７８ａに、指定時刻より後の時刻情報と対応付けられたタイトル情報を右側のタイトル表示領域７８ｂに表示している。
【００８０】
ここでは、タイトル表示領域７８ａには「５／２  Ｂ社決算好調」というタイトル情報８３ａ、「５／１１  Ｂ社米国拠点稼動」というタイトル情報８３ｂ、「５／１４  Ｂ社決算好調」というタイトル情報８３ｃが表示され、タイトル表示領域７８ｂには「５／２２  Ｂ社技術者育成プログラム」というタイトル情報８４ａ、「５／２５  Ｂ社上海で展示会開催」というタイトル情報８４ｂ、「５／２９  Ｂ社人事異動」というタイトル情報８４ｃを表示している。
【００８１】
なお、上記の例では、「５月１６日」のスケジュール表示領域から左側に過去のタイトル情報を、右側に未来のタイトル情報を重畳して表示しているが、これに限るものではない。すなわち、時刻が基準より過去であるか未来であるかを把握で着れば、表示する奉公は上や下でもよいし、斜め方向に表示してもよい。また、スケジュール表の形式や表示順序に応じて適切に変更してもよい。指定時刻からの相対的な時間経過が把握できれば、どのような表示方法であってもよい。
【００８２】
以上のように、本実施形態の情報提示装置１０では、タイトル表示部２６は、指定時刻と対応するスケジュール表示領域６４に重畳させて、スケジュール画面６０上で過去の時刻を示す左の方向に、指定時刻より過去の時刻が設定された電子情報に対応するタイトル情報８３を表示し、スケジュール画面６０上で未来の情報を示す右の方向に、指定時刻より未来の時刻が設定された電子情報に対応するタイトル情報８４を表示している。
【００８３】
上記の構成によれば、タイトル表示部２６が上記指定時刻より過去の時刻を示す左側の方向に、指定時刻より過去の時刻が設定された電子情報のタイトル情報８３を表示している。さらに、指定時刻より未来の時刻を示す右側の方向に、指定時刻より未来の時刻が設定された電子情報のタイトル情報８４を表示するので、ユーザが一目で選択した選択時刻と保存されている電子情報の設定時刻との関係を把握することができる。
【００８４】
〔実施形態３〕
次に、本発明のさらに別の実施形態について説明する。本実施形態の情報提示装置１０では、実施形態１および２に比べて、スケジュール画面６０に表示される内容が異なり、その他の構成は同様である。なお、上記実施形態１、２で説明した構成と同様の機能を有する構成には同一の符号を付して、その説明を省略する。
【００８５】
上記構成において、スケジュール画面６０およびタイトル表示領域７８の表示方法について、図７および図８に基づき説明すると、以下の通りである。
【００８６】
図７は、情報提示装置１０の表示部３６に表示されるスケジュール画面６０の別の一例を示す概略図である。図８は、情報提示装置１０の表示部３６に表示されるスケジュール画面６０における記事表示の一例を示す概略図である。
【００８７】
図７では、ユーザが操作部（時刻選択手段）３４からの入力で選択枠８５を操作して、「５月１０日」の日付が示されたスケジュール表示領域６４を選択した状態を表している。「５月１０日」の日付が選択されることによって、「５月１０日」に設定されたスケジュール「Ｎ社訪問」から「Ｎ社」のキーワードが情報取得部２３によって抽出され、情報取得部２３は電子情報記憶部４４から「Ｎ社」のキーワードに対応する電子記事を取得する。
【００８８】
その後、情報取得部２３が取得した「Ｎ社」のキーワードに対応する複数の電子情報の内容から、それぞれタイトル情報を作成する。具体的には、「４／３  Ｎ社が新規製品を・・・」というタイトル情報８２ａ、「４／５  Ｎ社に対抗してＳ社も・・・」というタイトル情報８２ｂ、「４／１０  Ｓ社に対抗して、Ｐ社も・・・」というタイトル情報８２ｃを作成する。
【００８９】
ここで、再度「５月１０日」の日付情報、スケジュール表示領域、またはタイトル情報８２を選択することによって、図８のようにタイトル情報および電子情報の内容が表示される。スケジュール画面６０は、電子情報の内容と重ならないように左右に縮小され、中央部分に電子情報の内容表示領域が表示される。また、内容表示領域７９には、どのスケジュール情報から内容情報を表示する状態へ移ったのか把握できるように、日付情報（ラベル情報）が表示される。
【００９０】
図８の例では、内容表示領域には、日付情報（ラベル情報）、スケジュール情報（スケジュール情報）７６、タイトル情報８２ａ・８２ｂ・８２ｃ、および内容情報が表示されている。ここでは、一番上のタイトル情報８２ａに対応する内容情報が表示されている。内容情報は、操作部３４を用いてタイトル情報８２ａ、タイトル情報８２ｂ、またはタイトル情報８２ｃを選択することで、内容表示領域７９に表示される内容がそのタイトルを含む電子記事に切り替わる。
【００９１】
以上のように、本実施形態の情報提示装置１０では、スケジュール表示部２５は、タイトル表示部２６によって表示されたタイトル情報８２のうち少なくとも１つと対応づけられた電子情報の内容を、タイトル情報８２と共に表示している。
【００９２】
上記の構成によれば、電子情報の内容がタイトル情報８２と共に表示されることにより、ユーザはタイトル情報８２とその内容情報を同時に確認することができる。
【００９３】
また、本実施形態の情報提示装置１０は、ユーザに任意のタイトル情報８２を指定させる操作部３４と、操作部３４によって指定されたタイトル情報８２に対応する電子情報の内容情報を表示部３６に表示させる電子情報表示部２８をさらに備えている。
【００９４】
上記の構成によれば、操作部３４を用いてタイトル情報８２を指定することで対応する電子情報の内容を表示するので、ユーザは複数のタイトル情報８２から任意のものを選択することで、所望の電子情報の内容を容易に閲覧することができる。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９６】
最後に、情報提示装置１０の各ブロック、特に情報取得部２３およびタイトル表示部２６は、ハードウェアロジックによって構成してもよいし、次のようにＣＰＵを用いてソフトウェアによって実現してもよい。
【００９７】
すなわち、情報提示装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報提示装置１０の制御プログラムのプログラムコード（実行形式プログラム、中間コードプログラム、ソースプログラム）をコンピュータで読み取り可能に記録した記録媒体を、上記情報提示装置１０に供給し、そのコンピュータ（またはＣＰＵやＭＰＵ）が記録媒体に記録されているプログラムコードを読み出し実行することによっても、達成可能である。
【００９８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９９】
また、情報提示装置１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１００】
本発明の情報提示装置は、以上のように、特定の時刻の上記スケジュール情報から、所定のキーワードを抽出し、記憶部に記憶された電子情報から、抽出されたキーワードを含む電子情報と当該電子情報に設定された時刻情報とを取得し、取得された電子情報の少なくとも一部をタイトル情報としてスケジュール表に重畳して表示するため、ユーザが容易にスケジュール情報および電子情報の内容を把握することが可能であるので、携帯電話機、携帯通信端末、ゲーム機、電子辞書、その他の端末として好適に利用することができる。
【図面の簡単な説明】
【０１０１】
【図１】本発明の一実施形態を示すものであり、情報提示装置の要部構成を示すブロック図である。
【図２】上記情報提示装置においてスケジュール画面およびタイトル情報を表示する手順を示す概略図である。
【図３】上記情報提示装置の表示部に表示されるスケジュール画面の一例を示す概略図である。
【図４】（ａ）および（ｂ）は、上記スケジュール画面内に表示される情報アイコンの一例を示す概略図である。
【図５】（ａ）および（ｂ）は、上記情報提示装置で保存されるデータのデータ構造の一例を示す図である。
【図６】上記情報提示装置の表示部に表示されるスケジュール画面の別の一例を示す概略図である。
【図７】上記情報提示装置の表示部に表示されるスケジュール画面の別の一例を示す概略図である。
【図８】上記情報提示装置の表示部に表示されるスケジュール画面における記事表示の一例を示す概略図である。
【符号の説明】
【０１０２】
１０    情報提示装置
２０    制御部
２１    記録制御部（情報出力手段）
２２    通信制御部
２３    情報取得部（キーワード取得手段、タイトル情報取得手段、電子情報取得手段）
２４    操作制御部
２５    スケジュール表示部（スケジュール表表示手段）
２６    タイトル表示部（タイトル情報提示手段）
２７    アイコン表示部（アイコン表示手段）
２８    電子情報表示部（情報出力手段）
３２    通信Ｉ／Ｆ
３４    操作部（時刻選択手段、タイトル選択手段）
３６    表示部
３７    キーワード取得部（キーワード取得手段）
３８    電子情報取得部（電子情報取得手段）
４０    記憶部
４２    スケジュール情報記憶部
４４    電子情報記憶部
４６    キーワード記憶部
６０    スケジュール画面（スケジュール表）
６１    年月表示領域
６２    曜日表示領域
６３    日付表示領域（ラベル表示領域）
６４    スケジュール表示領域（スケジュール表示領域）
７２ａ  記事アイコン（情報アイコン）
７２ｂ  スケジュールアイコン（情報アイコン）
７６    スケジュール内容（スケジュール情報）
７８    タイトル表示領域
８２    タイトル情報
８４    タイトル情報
８５    選択枠
【図１】
0004782080.tif 000002
【図２】
0004782080.tif 000003
【図３】
0004782080.tif 000004
【図４】
0004782080.tif 000005
【図５】
0004782080.tif 000006
【図６】
0004782080.tif 000007
【図７】
0004782080.tif 000008
【図８】
0004782080.tif 000009